【事件の表示】
　特許第３４１４５０７号「双眼鏡の眼幅調節機構」の請求項１ないし３に係る特許に対する特許異議の申立てについて、次のとおり決定する。
【結　論】
　訂正を認める。
　特許第３４１４５０７号の請求項１ないし３に係る特許を維持する。
【理　由】
１．手続の経緯
　特許第３４１４５０７号の請求項１〜３に係る発明（以下、それぞれ「本件発明１」、「本件発明２」、「本件発明３」という）は、平成６年８月４日に特許出願され、平成１５年４月４日にその発明について特許権の設定登録がなされ、その後、その特許について、特許異議申立人鈴木正己により特許異議の申立てがなされ、取消しの理由が通知され、その指定期間内である平成１６年４月６日に訂正請求（後日取り下げ）がなされた後、再度取消しの理由が通知され、その指定期間内である平成１６年９月２７日に訂正請求がなされたものである。
　
２．訂正の適否についての判断
（１）訂正の内容
　特許権者が求めている訂正の内容は以下ａ、ｂのとおりである。
ア．訂正事項ａ
　特許請求の範囲の請求項１について、「それぞれレンズ光学系を内蔵し、平行に並んで配置された一対の鏡筒」、「それぞれのレンズ光学系の光軸方向と実質的に直交する方向に摺動自在に上記一対の鏡筒をガイドするガイド部材」、「この付勢部材からの付勢力を上記一対の鏡筒を介して受け、該付勢力の一部を同一対の鏡筒の摺動方向と交差する方向に変換して同一対の鏡筒を上記ガイド部材に押し付ける力を発生させると共に、移動させることにより同一対の鏡筒を該ガイド部材に沿って摺動させて同一対の鏡筒間の距離を調節可能な調節部材」、「を具備したことを特徴とする双眼鏡の眼幅調節機構」をそれぞれ「
ハウジングに形成された溝部に入り込むように設けられた凸部を有して
１つの鏡筒と、レンズ光学系を内蔵し上記１つの鏡筒と
もう１つの鏡筒からなる
ため、上記一対の鏡筒と摺動可能に嵌合し、上記一対の鏡筒を覆うハウジングにより両端が支持される第１のガイド軸と、上記第１のガイド軸と平行で一端が上記一対の鏡筒の一方の鏡筒に固定され他端が上記一対の鏡筒の他方の鏡筒と摺動可能に嵌合する第２のガイド軸とでなる二つの
上記
上記
第１の
上記
上記第１の
上記
、上記ハウジングが上記第１のガイド軸両端２ヶ所と上記凸部との３ヶ所を支持することによって上記一対の鏡筒を上記ハウジング内で支持し、さらに上記凸部が上記溝部に入り込んで、上記第１のガイド軸を回動中心とした上記一対の鏡筒の回動を抑えた
第１の
イ．訂正事項ｂ
　特許明細書の【課題を解決するための手段】の項における「上記の目的を達成するために、本発明による双眼鏡の眼幅調節機構は、それぞれレンズ光学系を内蔵し平行に並んで配置された一対の鏡筒と、それぞれのレンズ光学系の光軸方向と実質的に直交する方向に摺動自在に上記一対の鏡筒をガイドするガイド部材と、上記一対の鏡筒を摺動方向に付勢する付勢部材と、この付勢部材からの付勢力を上記一対の鏡筒を介して受け該付勢力の一部を同一対の鏡筒の摺動方向と交差する方向に変換して同一対の鏡筒を上記ガイド部材に押し付ける力を発生させると共に移動させることにより同一対の鏡筒を該ガイド部材に沿って摺動させて同一対の鏡筒間の距離を調節可能な調節部材とを備えている。
【００１４】また、本発明による双眼鏡の眼幅調節機構は、上記調節部材が回動自在なカムであり、その回動中心が上記ガイド部材の近傍に設けられている。」を「上記の目的を達成するために、本発明による双眼鏡の眼幅調節機構は、
ハウジングに形成された溝部に入り込むように設けられた凸部を有して
た１つの鏡筒と、レンズ光学系を内蔵し上記１つの鏡筒と
もう１つの鏡筒からなる
ため、上記一対の鏡筒と摺動可能に嵌合し、上記一対の鏡筒を覆うハウジングにより両端が支持される第１のガイド軸と、上記第１のガイド軸と平行で一端が上記一対の鏡筒の一方の鏡筒に固定され他端が上記一対の鏡筒の他方の鏡筒と摺動可能に嵌合する第２のガイド軸とでなる二つの
上記
上記
第１の
上記
上記第１の
上記
、を具備し、上記ハウジングが上記第１のガイド軸両端２ヶ所と上記凸部との３ヶ所を支持することによって上記一対の鏡筒を上記ハウジング内で支持し、さらに上記凸部が上記溝部に入り込んで、上記第１のガイド軸を回動中心とした上記一対の鏡筒の回動を抑えた
【００１４】また、本発明による双眼鏡の眼幅調節機構は、上記調節部材が回動自在なカムであり、その回動中心が上記
第１の
（２）訂正の目的の適否、新規事項の有無、及び特許請求の範囲の拡張・変更の存否
　上記訂正事項ａに関連する記載として、願書に添付した明細書（以下「特許明細書」という。）の発明の詳細な説明には「【００２７】上述のような外観構造を備えた双眼鏡の光学系の概要は、図６に示すようになっている。光学系を保持する鏡筒は、金属や樹脂等で形成された左右１対の鏡筒３５ａ，３５ｂでなり、前方側から鏡筒対物部１２ａ，１２ｂ、鏡筒本体部１０ａ，１０ｂ、鏡筒接眼部の３つに大別される。」、「【００３２】上記第１ガイド軸１７は、上記図１のＡ−Ａ’断面図である図７に示すように、上カバー１と下カバー２によって両端を挟み込むことにより、その位置を固定される構造になっている。」、「【００３４】また、上記第２ガイド軸１８は、その左側端部が鏡筒本体部１０ｂに接着して固定されるとともに、その右側端部は鏡筒本体部１０ａに摺動可能に嵌合して保持されている。【００３５】上述のように第１ガイド軸１７は鏡筒３５ａ，３５ｂの光軸に対して直交するように配設されていて、この第１ガイド軸１７に対して平行になるように上記第２ガイド軸１８の位置が調節されている。」、「【００３７】さらに鏡筒３５ａ，３５ｂは、図８に示すように、鏡筒本体部１０ｂから突設された凸部３３ｂが、上カバー１に設けられた凸部１ａと下カバー２に設けられた凸部２ａの間に形成された溝部に入り込んで、第１ガイド軸１７を回動中心とした鏡筒３５ａ，３５ｂの回動を最小限度に抑える構造になっている。こうして、鏡筒３５ａ，３５ｂは、上述のような３点の支持によって、その位置を固定されている。」、「【００６１】このとき、鏡筒本体部１０ａ，１０ｂを含む鏡筒３５ａ，３５ｂは、上述のように、第１ガイド軸１７および第２ガイド軸１８の２本のガイド軸によって摺動自在に保持されているために、眼幅カム２０の回動によって、互いに離れたり近接したりする方向に移動する。」とある。
　してみれば、上記訂正事項ａは、特許明細書に記載された事項の範囲内において、双眼鏡の眼幅調節機構を限定したものといえるから、特許請求の範囲の減縮を目的とした明細書の訂正に該当するものであって、新規事項の追加に該当せず、また、実質上特許請求の範囲を拡張し、又は変更するものではない。
　また、上記訂正事項ｂは、特許請求の範囲が訂正されたことに伴い【課題を解決するための手段】を訂正された特許請求の範囲の記載と整合させるものであり、明瞭でない記載の釈明を目的とする明細書の訂正に該当すると認められ、新規事項の追加に該当せず、また、実質上特許請求の範囲を拡張し、又は変更するものではない。
（３）むすび
　以上のとおりであるから、上記訂正は特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
３．特許異議の申立てについて
（１）申立て理由の概要
　特許異議申立人鈴木正己は、特許第３４１４５０７号の請求項１〜３に係る発明についての特許に対して、証拠として甲第１〜３号証を提出し、本件の請求項１〜３に係る発明の特許は特許法第１、２項の規定に違反してなされたものであり、本件の請求項１〜３に係る発明についての特許を取り消すべき旨主張している。
（２）本件発明
　特許第３４１４５０７号の請求項１〜３に係る発明（以下、それぞれ「本件発明１」、「本件発明２」、「本件発明３」という。）は、平成１６年９月２７日付けの訂正明細書の特許請求の範囲の請求項１〜３に記載された事項により特定される次のとおりのものである。
　請求項１
　ハウジングに形成された溝部に入り込むように設けられた凸部を有してレンズ光学系を内蔵した１つの鏡筒と、レンズ光学系を内蔵し上記１つの鏡筒と平行に並んで配置されたもう１つの鏡筒からなる一対の鏡筒と、それぞれのレンズ光学系の光軸方向と実質的に直交する方向に摺動自在に上記一対の鏡筒をガイドするため、上記一対の鏡筒と摺動可能に嵌合し、上記一対の鏡筒を覆うハウジングにより両端が支持される第１のガイド軸と、上記第１のガイド軸と平行で一端が上記一対の鏡筒の一方の鏡筒に固定され他端が上記一対の鏡筒の他方の鏡筒と摺動可能に嵌合する第２のガイド軸とでなる二つのガイド部材と、上記一対の鏡筒を摺動方向に付勢する付勢部材と、この付勢部材からの付勢力を上記一対の鏡筒を介して受け、該付勢力の一部を上記一対の鏡筒の摺動方向と交差する方向に変換して上記一対の鏡筒を上記第１のガイド部材に押し付ける力を発生させると共に、移動させることにより上記一対の鏡筒を上記第１のガイド部材に沿って摺動させて上記一対の鏡筒間の距離を調節可能な調節部材と、を具備し、上記ハウジングが上記第１のガイド軸両端２ヶ所と上記凸部との３ヶ所を支持することによって上記一対の鏡筒を上記ハウジング内で支持し、さらに上記凸部が上記溝部に入り込んで、上記第１のガイド軸を回動中心とした上記一対の鏡筒の回動を抑えたことを特徴とする双眼鏡の眼幅調節機構。
　請求項２
　上記調節部材は回動自在なカムであり、その回動中心が上記第１のガイド部材の近傍に設けられていることを特徴とする請求項１に記載の双眼鏡の眼幅調節機構。
　請求項３
　上記付勢部材は、上記調節部材の近傍に配設されていることを特徴とする請求項１または請求項２に記載の双眼鏡の眼幅調節機構。
　
（２）刊行物記載の発明
　当審が通知した取消しの理由に引用された甲第１号証である刊行物（実公平３−３６９７４号公報（以下、「刊行物１」という。））には次の事項が記載されている。
ア．「図示のようにハウジングＨ内にフレーム１を配置して左右の鏡筒２，２’を組込み、後述する如くスライド板３２と板バネ３７とによるガイド手段２３を付設して、鏡筒の少なくとも一方がフレーム１に対し横方向に移動自在となるように搭載する。ただし、ここに例示するものは、左右の鏡筒２，２’が互いに反対方向に平行移動して光軸間距離を所定範囲内で調整できる構造となっている。フレーム１の略中央には、眼幅調整機構ＥＤを組込んでいる。この機構は、第３図に拡大して示すごとく、フレーム１の中央に立ち起したブラケット３に軸４を設けて眼幅調節ノブ５を軸支し、ノブ５の端面には直径方向に一対のローラピン６，６’を取付けると共に、左右の鏡筒に取付けたカム板７，７’の前端面をローラピン６，６’に当接させる。カム板７，７’は根元部に上下のビスを用いて鏡筒の段部８，８’にネジ止めされており、上方のビス９，９’の頭部と上記ローラピンへの圧接復元用スプリング１０，１０’をかけている。」（２頁左欄末行−同右欄２０行）
　
イ．「前記カム板７，７’の前端面、すなわちローラピン６，６’に当接する端面は、実質的に前記ビス頭を中心とする円弧状に湾曲形成されている。」（２頁右欄２３−２６行）
　
ウ．「鏡筒２，２’の内部には、対物レンズ１１，１１’、正像用プリズム１２，１２’、接眼レンズ１３，１３’が設けられている。」（２頁右欄３２−３４行）
　
エ．「眼幅調整機構ＥＤにおけるカム板７，７’はローラピン６，６’の回動によつて水平方向に従動される反対カム形式となっている。調整ノブ５を回動操作してカム板７，７’を水平に移動させる間、スプリング１０，１０’によつてカム板端面とローラピンとを常時圧接させているので、カムの伝動作用に損失がない。」（２頁右欄４２行−３頁左欄４行）
　
オ．「このようにしてスライド板を常時フレーム上面に密接させ、鏡筒の横移動のときのガタを防いで正確な平行移動を保証するものである。」（３頁右欄１９−２２行）
　
　また、同じく甲第２号証である刊行物（特開昭５６−１２６８１４号公報（以下、「刊行物２」という。））には次の事項が記載されている。
カ．「ハウジング（Ｈ）内に左右の鏡筒（１）（１）’を組み込み、両鏡筒の少くとも一つをハウジング（Ｈ）に対して横方向に移動自在に装架する。図示実施例の場合には左右の鏡筒（１）（１）’が横方向に移動できる構造となっている。ハウジング（Ｈ）の中央に眼幅調整カム盤（８）に向けて一対の眼幅スライド板（５）（５）’を設け、両スライド板（５）（５）’の内端に設けた眼幅ピン（７）（７）’を前記カム盤のカム孔（９）（９）’に挿入し、カム盤（８）の回転によつて鏡筒を横方向に移動するようにしたものである。」（２頁左上欄１４行−同右上欄６行）
　
キ．「対物レンズ（２）（２）’を有する左右の鏡筒（１）（１）’測距ミラー（Ｍ1　）（Ｍ2）、焦点検出モジュール（Ｍ）、焦点調節モーター（１２）、焦点調節アーム（１３）及び眼幅調整機構が装架されている。接眼レンズ（３）（３）’は両鏡筒内に光軸方向に可動となるように挿入されている。」（２頁右上欄９−１３行）
　
ク．「左右の鏡筒（１）（１）’は眼幅スライド板（５）（５）’に取付けられた状態で上側フレーム（Ｆ１）にスライドできるように懸架されている。眼幅スライド板（５）（５）’には案内ピン（６ａ）（６ｂ）（６ａ’）（６ｂ’）が取付けられており、上側フレームにあけられた案内スリット（４ａ）（４ｂ）（４ａ’）（４ｂ’）にそれぞれ嵌合しながらスライドできる。各案内スリットは、光軸に対して直角方向にあけられているから、眼幅スライド板（５）（５）’及び左右の鏡筒（１）（１）’はスリットの長さの範囲で光軸を平行に保つたまま横方向にのみスライド可能である。」（２頁左下欄下から３行−同右下欄７行）
　
  また、同じく甲第３号証である刊行物（特公昭６０−４６４０７号公報（以下、「刊行物３」という。））には次の事項が記載されている。
ケ．「この収納部ｈ，ｈ’内には、左右の鏡筒１，１’を組込むもので、この鏡筒１，１’はそれぞれ対物レンズ２，２’、プリズム２ａ，２ａ’、可動接眼レンズ３ａ，３ａ’及び固定接眼レンズ３ｂ，３ｂ’を有する。」（２頁左欄１１−１５行）
　
コ．「ハウジングＨの底部に前後一対の案内レール（「案内ール」は「案内レール」の誤記と認める）４，４を配設し、前方の案内レールによって鏡筒１，１’の対物レンズ側を、また後方の案内レールによつて接眼レンズ側を支承する。」（２頁左欄１８−２２行）
　
（３）本件発明１の特許について
　上記刊行物１に記載された発明（以下「刊行物１発明」という。）と、本件発明１とを対比すると、刊行物１発明の「ハウジングＨ」は、本願発明１の「ハウジング」に、以下同様に「左右の鏡筒２，２’」は「１つの鏡筒と、・・・もう１つの鏡筒からなる一対の鏡筒」に、「対物レンズ１１，１１’、接眼レンズ１３，１３’」は「レンズ光学系」に、「ガイド手段２３」は「ガイド部材」に「圧接復元用スプリング１０，１０’」は「付勢部材」に、「眼幅調整機構ＥＤ」は「調節部材」に相当するから、両者は、
「ハウジングにレンズ光学系を内蔵した１つの鏡筒と、レンズ光学系を内蔵し上記１つの鏡筒と平行に並んで配置されたもう１つの鏡筒からなる一対の鏡筒と、ガイド部材と、上記一対の鏡筒を摺動方向に付勢する付勢部材と、付勢部材からの付勢力の一部を上記一対の鏡筒の摺動方向と交差する方向に変換して上記一対の鏡筒を上記第１のガイド部材に押し付ける力を発生させると共に、移動させることにより上記一対の鏡筒を上記第１のガイド部材に沿って摺動させて上記一対の鏡筒間の距離を調節可能な調節部材と、を具備する双眼鏡の眼幅調節機構。」
である点で一致し、以下の点で相違する。
　
相違点１；本件発明１が、１つの鏡筒を、ハウジングに形成された溝部に入り込むように設けられた凸部を有するようにしたのに対し、刊行物１発明がそのような構成を採用していない点。
相違点２；本件発明１が、ガイド部材を、それぞれのレンズ光学系の光軸方向と実質的に直交する方向に摺動自在に一対の鏡筒をガイドするため、上記一対の鏡筒と摺動可能に嵌合し、上記一対の鏡筒を覆うハウジングにより両端が支持される第１のガイド軸と、上記第１のガイド軸と平行で一端が上記一対の鏡筒の一方の鏡筒に固定され他端が上記一対の鏡筒の他方の鏡筒と摺動可能に嵌合する第２のガイド軸で構成したのに対し、刊行物１発明がそのような構成を採用していない点。
相違点３；本件発明１が、調節部材が付勢部材からの付勢力を受けるのに、一対の鏡筒を介する構成としたのに対し、刊行物１発明がそのような構成を採用していない点。
相違点４；本件発明１が、ハウジングが第１のガイド軸両端２ヶ所と凸部との３ヶ所を支持することによって一対の鏡筒を上記ハウジング内で支持し、さらに上記凸部が上記溝部に入り込んで、上記第１のガイド軸を回動中心とした上記一対の鏡筒の回動を抑えるようにしたのに対し、刊行物１発明がそのような構成を採用していない点。
　そこで、相違点４について検討すると、「ハウジングが第１のガイド軸両端２ヶ所と凸部との３ヶ所を支持することによって一対の鏡筒を上記ハウジング内で支持し、さらに上記凸部が上記溝部に入り込んで、上記第１のガイド軸を回動中心とした上記一対の鏡筒の回動を抑えるように」することは、刊行物１〜３に直接的な記載はなく、また、それを示唆する記載もない。
　よって、刊行物１〜３に記載された発明に基づいて、上記相違点４にかかる構成とすることは、当業者であっても容易に想到することができたとすることはできない。
　
　したがって、本件発明１は、刊行物１〜３に記載された発明に基づいて当業者が容易に発明することができたものとはいえない。
　
　（４）本件発明２、３の特許について
　本件発明２、３は、本件発明１を更に限定したものであるから、上記本件発明１についての判断と同様の理由により、上記刊行物１〜３に記載された発明に基づいて当業者が容易に発明することができたものとはいえない。
　
４．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、結論のとおり決定する。
【異議決定日】
平成１６年１０月１３日（２００４．１０．１３）
【訂正の要旨】
審決（決定）の【理由】欄参照。
（５４）【発明の名称】
双眼鏡の眼幅調整機構
（５７）【特許請求の範囲】
　【請求項１】　
ハウジングに形成された溝部に入り込むように設けられた凸部を有して
た１つの鏡筒と、レンズ光学系を内蔵し上記１つの鏡筒と
もう１つの鏡筒からなる
　それぞれのレンズ光学系の光軸方向と実質的に直交する方向に摺動自在に上記一対の鏡筒をガイドする
ため、上記一対の鏡筒と摺動可能に嵌合し、上記一対の鏡筒を覆うハウジングにより両端が支持される第１のガイド軸と、上記第１のガイド軸と平行で一端が上記一対の鏡筒の一方の鏡筒に固定され他端が上記一対の鏡筒の他方の鏡筒と摺動可能に嵌合する第２のガイド軸とでなる二つの
　上記一対の鏡筒を摺動方向に付勢する付勢部材と、
　この付勢部材からの付勢力を上記一対の鏡筒を介して受け、該付勢力の一部を
上記
上記
第１の
上記
上記第１の
上記
　を具備し
、上記ハウジングが上記第１のガイド軸両端２ヵ所と上記凸部との３ヵ所を支持することによって上記一対の鏡筒を上記ハウジング内で支持し、さらに上記凸部が上記溝部に入り込んで、上記第１のガイド軸を回動中心とした上記一対の鏡筒の回動を抑えた
　【請求項２】　上記調節部材は回動自在なカムであり、その回動中心が上記
第１の
　【請求項３】　上記付勢部材は、上記調節部材の近傍に配設されていることを特徴とする請求項１または請求項２に記載の双眼鏡の眼幅調節機構。
【発明の詳細な説明】
　【０００１】
　【産業上の利用分野】本発明は、双眼鏡の眼幅調節機構、より詳しくは、一対の鏡筒間の距離を調節する双眼鏡の眼幅調節機構に関する。
　【０００２】
　【従来の技術】周知のように、人間の両眼の間の間隔、つまり眼幅は、年齢や性別やその他の個人差により様々に異なっている。このために、双眼鏡においては、種々の眼幅を有する使用者に対応することができるように、左右一対でなる鏡筒の間隔を調節する機構を設ける必要がある。
　【０００３】このような眼幅調節機構の内、双眼鏡の左右一対の鏡筒を平行移動させて眼幅調整を行う技術手段は、従来より種々のものが提案されている。
　【０００４】このような技術手段の一例として、例えば特公昭６０−４６４０７号公報には、外装部材たるハウジング内に左右一対の鏡筒を組み込み、さらに、該ハウジングに光軸と直角な方向の前後一対のガイドレール（この例の場合には蟻溝となっている。）を配置して、上記鏡筒の少なくとも一方をこのガイドレールに移動自在に装架し、このガイドレールに装架した鏡筒には該ガイドレールと平行に配設した左右の端部にねじが形成されている前後一対の眼幅調整用駆動ロッドを螺着し、接眼レンズの調節部分をスリーブとブッシュロッドにより連結したものが記載されている。
　【０００５】また、眼幅調節が可能な双眼鏡の他の例として実公平３−３６９７４号公報には、双眼鏡のハウジング内に左右一対の鏡筒を組み込み、これら両鏡筒をハウジングに対して左右方向に自由に移動できるように構成するとともに、ハウジングの中央に眼幅調整用の操作部材を回動自在に軸支し、上記両鏡筒からハウジングの中央に向けて眼幅スライドカム板を取り付けて、このスライドカム板の先端と上記操作部材の回転面上に設けたピンとが、常時、互いに当接するようにばね付勢をしたものが記載されている。
　【０００６】
　【発明が解決しようとする課題】上記特公昭６０−４６４０７号公報に記載のものの場合には、鏡筒とガイドレールの間に発生するガタやねじ嵌合部のガタを付勢する手段が設けられていないために、左右の鏡筒を動かしたときに、このガタが原因で発生する光軸の平行度のずれが大きくなることがある。さらに、外装部材が変形したりすると、前後に設けられているガイドレールの平行度が保たれなくなり、つまり、左右の鏡筒が内蔵するレンズ光学系の光軸平行度を保つことができない。
　【０００７】また、上記実公平３−３６９７４号公報に記載のものの場合には、眼幅が変化するのに伴って付勢ばねの向きが変化してその付勢方向が変化するために、ガタを常に同じ向きにすることができない。このために、左右のレンズ光学系の光軸の平行度に影響を及ぼす可能性がある。
　【０００８】一般的に、眼幅調整を行う際に最も重要であるのは、左右一対の鏡筒に内蔵されているレンズ光学系の光軸の間隔（眼幅）が変化しても、それぞれの光軸が常に平行を保つことである。
　【０００９】日本工業規格「ＪＩＳ　Ｂ　７１２１−１９９３」の中の双眼鏡に関する部分には、眼幅調整可能範囲として少なくとも６０〜７０ｍｍの範囲を有し、この調節範囲内において許容可能な左右の光軸平行度のずれは、数分以内であると規定されている。
　【００１０】しかしながら、ある程度の重量を有するレンズ光学系を含む鏡筒と、この鏡筒を案内するガイド軸との間には、移動を容易にして自由に眼幅を変化させるために、ある程度のクリアランスが必要になってくる。
　【００１１】しかし、このようなクリアランスが存在することで、眼幅調整時あるいは通常使用時に、鏡筒をガイド軸に対して直角に保持することができなくなり、レンズ光学系の光軸が変化するなどの不具合が発生する可能性がある。
　【００１２】本発明は上記事情に鑑みてなされたものであり、鏡筒をレンズ光学系の光軸方向と実質的に直交する方向にガイドする際に、該レンズ光学系の光軸がずれることのない小型な双眼鏡の眼幅調節機構を提供することを目的としている。
　【００１３】
　【課題を解決するための手段】上記の目的を達成するために、本発明による双眼鏡の眼幅調節機構は、
ハウジングに形成された溝部に入り込むように設けられた凸部を有して
た１つの鏡筒と、レンズ光学系を内蔵し上記１つの鏡筒と
もう１つの鏡筒からなる
ため、上記一対の鏡筒と摺動可能に嵌合し、上記一対の鏡筒を覆うハウジングにより両端が支持される第１のガイド軸と、上記第１のガイド軸と平行で一端が上記一対の鏡筒の一方の鏡筒に固定され他端が上記一対の鏡筒の他方の鏡筒と摺動可能に嵌合する第２のガイド軸とでなる二つの
上記
上記
第１の
上記
上記第１の
上記
、上記ハウジングが上記第１のガイド軸両端２ヵ所と上記凸部との３ヵ所を支持することによって上記一対の鏡筒を上記ハウジング内で支持し、さらに上記凸部が上記溝部に入り込んで、上記第１のガイド軸を回動中心とした上記一対の鏡筒の回動を抑えた
　【００１４】また、本発明による双眼鏡の眼幅調節機構は、上記調節部材が回動自在なカムであり、その回動中心が上記
第１の
　【００１５】さらに、本発明による双眼鏡の眼幅調節機構は、上記付勢部材が、上記調節部材の近傍に配設されている。
　【００１６】
　【作用】本発明による双眼鏡の眼幅調節機構は、一対の鏡筒がそれぞれレンズ光学系を内蔵し平行に並んで配置され、ガイド部材がそれぞれのレンズ光学系の光軸方向と実質的に直交する方向に摺動自在に上記一対の鏡筒をガイドし、付勢部材が上記一対の鏡筒を摺動方向に付勢し、調節部材がこの付勢部材からの付勢力を上記一対の鏡筒を介して受け該付勢力の一部を同一対の鏡筒の摺動方向と交差する方向に変換して同一対の鏡筒を上記ガイド部材に押し付ける力を発生させると共に移動させることにより同一対の鏡筒を該ガイド部材に沿って摺動させて同一対の鏡筒間の距離を調節可能に調節する。
　【００１７】また、本発明による双眼鏡の眼幅調節機構は、回動自在なカムである上記調節部材が、上記ガイド部材の近傍に設けられている回動中心周りに回動する。
　【００１８】さらに、本発明による双眼鏡の眼幅調節機構は、上記調節部材の近傍に配設されている上記付勢部材が、上記一対の鏡筒を摺動方向に付勢する。
　【００１９】
　【実施例】以下、図面を参照して本発明の実施例を説明する。図１から図１４は本発明の一実施例を示したものであり、図１は本実施例の双眼鏡を示す平面図、図２は双眼鏡を対物側から見た正面図、図３は上記図２とは逆の接眼側の方向から見た背面図、図４は双眼鏡を示す底面図、図５は双眼鏡を示す側面図である。
　【００２０】双眼鏡は、上側を上カバー１で、下側を下カバー２で覆われてなり、これらで該双眼鏡のハウジングが構成されている。
　【００２１】上記上カバー１は、その上面のほぼ中央部に略円盤状の合焦機構操作部材たる距離ツマミ３が設けられており、この距離ツマミ３の左右両側には、双眼鏡の携帯性および保持性を良くするために、ゴム材料で形成されたグリップゴム８ａ，８ｂが設けられている。
　【００２２】さらに該上カバー１の接眼側の側面からは、視度調整用の回転式操作部材たる視度ツマミ４が突設されており、この視度ツマミ４の接眼側の端面には指標付きの視度蓋４０が取り付けられている。
　【００２３】上記下カバー２の下面のほぼ中央部には、眼幅調整用の回転式操作部材たる眼幅ツマミ５が設けられている。
　【００２４】また、双眼鏡の対物側には透明な保護部材でなる前カバー６が取り付けられており、双眼鏡の内部へ異物等が外部から侵入するのを防いでいる。
　【００２５】一方、双眼鏡の接眼側には、ゴム材料によりやや短めの略楕円筒状に形成された接眼ゴム７ａ，７ｂが設けられている。
　【００２６】また、上カバー１と下カバー２の合わせ目の部分となる双眼鏡の側部には、ストラップを取り付けるための吊り環９ａ，９ｂが設けられている。
　【００２７】上述のような外観構造を備えた双眼鏡の光学系の概要は、図６に示すようになっている。光学系を保持する鏡筒は、金属や樹脂等で形成された左右１対の鏡筒３５ａ，３５ｂでなり、前方側から鏡筒対物部１２ａ，１２ｂ、鏡筒本体部１０ａ，１０ｂ、鏡筒接眼部の３つに大別される。
　【００２８】これらの内の鏡筒本体部１０ａ，１０ｂは、内部にプリズム１１ａ，１１ｂおよびプリズム１１ｃ，１１ｄをそれぞれ保持している。
　【００２９】この鏡筒本体部１０ａ，１０ｂの前側には、鏡筒対物部１２ａ，１２ｂが接着して固定されていて、この鏡筒対物部１２ａ，１２ｂの内周側には、複数のレンズでなる対物レンズ１４ａ，１４ｂを保持する対物レンズ枠１３ａ，１３ｂが、合焦動作および視度調整のために光軸方向に摺動可能に嵌合されている。
　【００３０】さらに、上記鏡筒本体部１０ａ，１０ｂの後側には、鏡筒接眼部となる接眼レンズ枠４１ａ，４１ｂがねじで締結されていて、この接眼レンズ枠４１ａ，４１ｂの内周側には、複数のレンズでなる接眼レンズ１５ａ，１５ｂが保持されるとともに、上記接眼レンズ枠４１ａ，４１ｂの対物側には視野絞り１６ａ，１６ｂが取り付けられている。
　【００３１】上述のように左右１対で構成されている２つの鏡筒３５ａ，３５ｂは、ガイド部材たるやや長めの第１ガイド軸１７と、やはりガイド部材たる短めの第２ガイド軸１８の２本のガイド軸に吊るされて、摺動自在に案内されるようになっている。
　【００３２】上記第１ガイド軸１７は、上記図１のＡ−Ａ’断面図である図７に示すように、上カバー１と下カバー２によって両端を挟み込むことにより、その位置を固定される構造になっている。
　【００３３】この第１ガイド軸１７は、上記鏡筒３５ａ，３５ｂの一部をなす鏡筒本体部１０ａ，１０ｂに対して直角の位置を保持するようにスリーブ２７（図９等参照）を介して嵌合されており、この鏡筒本体部１０ａ，１０ｂは該第１ガイド軸１７に沿って光軸に垂直な方向に自由に移動できるようになっている。
　【００３４】また、上記第２ガイド軸１８は、その左側端部が鏡筒本体部１０ｂに接着して固定されるとともに、その右側端部は鏡筒本体部１０ａに摺動可能に嵌合して保持されている。
　【００３５】上述のように第１ガイド軸１７は鏡筒３５ａ，３５ｂの光軸に対して直交するように配設されていて、この第１ガイド軸１７に対して平行になるように上記第２ガイド軸１８の位置が調節されている。
　【００３６】こうして左右の鏡筒３５ａ，３５ｂは、後述する眼幅調整を行う際には、上記第１，第２ガイド軸１７，１８に沿って、互いに近づいたり遠ざかったりするように構成されている。
　【００３７】さらに鏡筒３５ａ，３５ｂは、図８に示すように、鏡筒本体部１０ｂから突設された凸部３３ｂが、上カバー１に設けられた凸部１ａと下カバー２に設けられた凸部２ａの間に形成された溝部に入り込んで、第１ガイド軸１７を回動中心とした鏡筒３５ａ，３５ｂの回動を最小限度に抑える構造になっている。こうして、鏡筒３５ａ，３５ｂは、上述のような３点の支持によって、その位置を固定されている。
　【００３８】次に、図８，図９は、視度調整と合焦調整の機構を表した図であり、図８は上記図１のＢ−Ｂ’断面図、図９は上カバー１を取り外して双眼鏡の内部構造を示した平面図である。
　【００３９】この双眼鏡は、対物レンズ１４ａ，１４ｂを繰り込みまたは繰り出すことで、視度調整および合焦調整を行うようになっており、すなわち、対物レンズ１４ａ，１４ｂを繰り出す機構は、視度調整機構と合焦調整機構の２つの機構に分かれている。
　【００４０】これらの内、まず、視度調整機構について説明する。図６に示すように、視度調整は、右側の対物レンズ１４ａだけを繰り出し、あるいは繰り込むことにより行っている。
　【００４１】図８に示した視度ツマミ４を回転させると、この視度ツマミ４に対して小判形状部により嵌合して回動一体となっている対物ねじ２６が追従して回転する。
　【００４２】この対物ねじ２６は、この双眼鏡の上記左右の鏡筒３５ａ，３５ｂのほぼ中間となる上部に、上カバー１および下カバー２に挟み込まれるように光軸に沿って配設された軸状の部材である。
　【００４３】該対物ねじ２６の先端部分の周面にはねじ２６ａが螺刻されていて、右腕部材２３の対物側から延出された腕部２３ｂに螺合されている。そして、この対物ねじ２６が回転することで、右腕部材２３は光軸方向に沿って繰り出され、あるいは繰り込まれるようになっている。
　【００４４】この右腕部材２３には、図９に示すように、光軸に垂直な左右方向の長孔２３ａが穿設されていて、この長孔２３ａに、上記対物レンズ枠１３ａに圧入されているピン２８の先端部が係合している。
　【００４５】これによって、上記右腕部材２３が繰り出しあるいは繰り込みをするに従って、右側の対物レンズ枠１３ａも追従して光軸方向に移動して視度調整を行うようになっている。
　【００４６】次に、合焦調整機構について説明する。上記距離ツマミ３には、上カバー１を介して距離カム１９がビスによって締結されていて、これらは互いに回動一体となっている。
　【００４７】この距離カム１９はカム溝１９ａが刻設された部材であり、このカム溝１９ａに左腕部材２２にかしめられている距離ピン２５が挿入されている。
　【００４８】この左腕部材２２は、Ｅリング２９によって対物ねじ２６に取り付けられていて、これにより該左腕部材２２は、該対物ねじ２６と一体的に光軸方向に移動するようになっている。
　【００４９】該左腕部材２２のＥリング２９と上記右腕部材２３の腕部２３ｂの間には、視度ばね２４が対物ねじ２６に挿通された状態で介装されている。これにより、左腕部材２２と右腕部材２３の間隔は常に一定に保たれるようになっている。
　【００５０】この右腕部材２２も、上記左腕部材２３と同様に、側方に腕部を突出してそこに光軸に垂直な左右方向の長孔２２ａが穿設されていて、上記対物レンズ枠１３ｂに圧入されているピン２８が係合している。
　【００５１】このような構成において、上記図８に示した距離ツマミ３を回転させると、距離カム１９が一体的に回転し、この距離カム１９の回転に追従して左腕部材２２が光軸方向に動き出す。
　【００５２】こうして左腕部材２２が動き出すと同時に、この左腕部材２２にＥリング２９により取り付けられている対物ねじ２６が動き出し、さらに、対物ねじ２６とともに右腕部材２３も、該左腕部材２２と同一方向に動き出す。
　【００５３】このように左腕部材２２と右腕部材２３が同一方向に一体的に移動することによって、対物レンズ１４ａ，１４ｂを保持する対物レンズ枠１３ａ，１３ｂが追従して光軸方向に動いて、同時に同じ量だけ繰り出されたり繰り込まれたりし、つまり、合焦の調整を行う。
　【００５４】次に、図８から図１２を参照して、眼幅調整機構について説明する。眼幅の調整は、図８に示したような、操作部材たる眼幅ツマミ５を回転させることで、左右の鏡筒３５ａ，３５ｂの間隔を変化させることにより行う。
　【００５５】この眼幅ツマミ５には、下カバー２を介して調節部材たる眼幅カム２０がビスによって締結されて回動一体となっている。
　【００５６】この眼幅カム２０は、図１０，図１１に示すように、回動中心が上記第１ガイド軸１７の近傍となる位置に設けられていて、この回動中心に対してほぼ対称に形成されたカム面を有し、このカム面には、上記鏡筒本体部１０ａ，１０ｂから突設されたカムフォロワーピン３２ａ，３２ｂが当接している。
　【００５７】このカムフォロワーピン３２ａ，３２ｂの両側部近傍には、コイルばね等でなる付勢部材たる眼幅ばね３０が、上記第１ガイド軸１７にそれぞれ挿通されている。これらの眼幅ばね３０の双眼鏡の中央側となる端部は、該鏡筒本体部１０ａ，１０ｂから突設された凸部に係合しているとともに、双眼鏡の両側方となる端部は、図１１に示すばね掛け３１に係止されている。
　【００５８】これにより、鏡筒本体部１０ａ，１０ｂは、カムフォロワーピン３２ａ，３２ｂが眼幅カム２０に常に当て付いているように、眼幅ばね３０によって、図１０の矢印Ｃの方向に付勢されている。
　【００５９】このばね掛け３１は、図１２に示すように、両端部から上記眼幅ばね３０を係止する腕部３１ａを延設しており、この腕部３１ａの先端部に第１ガイド軸１７に係合する凹部３１ｂを設けるとともに、これら両腕部３１ａの間からは他の腕部３１ｃを延出している。
　【００６０】これにより、鏡筒本体部１０ａ，１０ｂは互いが近接する方向に眼幅ばね３０により常に付勢されるとともに、眼幅カム２０により上記第１ガイド軸１７のガイド方向に交差する方向の付勢力も受けている。そして眼幅カム２０が回動する際には、そのカム面に当接するカムフォロワーピン３２ａ，３２ｂにより、鏡筒本体部１０ａ，１０ｂは、該眼幅カム２０の動きに追従して動くようになっている。
　【００６１】このとき、鏡筒本体部１０ａ，１０ｂを含む鏡筒３５ａ，３５ｂは、上述のように、第１ガイド軸１７および第２ガイド軸１８の２本のガイド軸によって摺動自在に保持されているために、眼幅カム２０の回動によって、互いに離れたり近接したりする方向に移動する。
　【００６２】さらに、上記図９に示したように、左腕部材２２との長孔２２ａと右腕部材２３の長孔２３ａは、光軸に垂直な左右方向の長孔となっているために、これらの長孔２２ａ，２３ａにピン２８を係合する対物レンズ枠１３ａ，１３ｂが同方向にスライドしながら動いて、眼幅間隔が眼幅カム２０によって変化しても視度および合焦の位置が変化することはない。
　【００６３】このようにして眼幅調整は可能になっているが、鏡筒本体部１０ａ，１０ｂに接着固定された上記スリーブ２７と第１ガイド軸１７の間には、一般に、多少のクリアランスが存在している。
　【００６４】そうなると眼幅調整時に付勢手段の位置によって鏡筒本体部１０ａ，１０ｂが傾き、左右の鏡筒３５ａ，３５ｂの平行度が崩れて光軸の変化が生じる可能性がある。しかし、図１２に示すように、第１ガイド軸１７と同軸に設けられた眼幅ばね３０の付勢力を眼幅カム２０のカム面を介して受けることにより、鏡筒本体部１０ａ，１０ｂは第１ガイド軸１７のガイド方向と直交する方向に付勢されて片寄せされるために、鏡筒本体部１０ａ，１０ｂと第１ガイド軸１７の間にはガタつきが生じることはなくなる。
　【００６５】こうして、鏡筒本体部１０ａ，１０ｂは、眼幅調整の際にも常に平行を保つことができて、実質的に光軸変化が生じることはない。
　【００６６】なお、このようなガタつきを押さえる付勢部材は、上記眼幅ばね３０のようなコイルばねに限られるものではなく、図１３に示すように、金属や樹脂等で形成されている板ばね３０ａを用いることも可能であり、必要な機能と収納可能な大きさを有するものであれば、さらに他の弾性手段を用いることもできる。
　【００６７】また、上記調節部材の一例としてのカムは、回動式のものに限るものではなく、例えば三角形状をなす光軸方向に沿って摺動自在なカムであっても良い。
　【００６８】さらに、上記ばね掛け３１をなくして、図１４に示すようなばね掛け部３４を、下カバー２と一体成型することも可能である。
　【００６９】なお、上述のような双眼鏡の眼幅調節機構は、一対の鏡筒３５ａ，３５ｂの双方を移動する場合のみでなく、一方の鏡筒を固定として、この固定された鏡筒に対して他方を移動させる場合にも適用できることはいうまでもない。
　【００７０】以上説明したように、このような実施例によれば、鏡筒全体が常に、一定方向に付勢されているために、ガイド軸と鏡筒の嵌合部のクリアランスがあっても、常に所定の位置関係を保ちながら鏡筒とガイド軸、および鏡筒と眼幅調整機構が接触することが可能である。従って、眼幅調整を行っても、左右の光軸の平行度が変化することはない。
　【００７１】また、これと同時に、付勢部材を眼幅調整機構の近傍に配置することにより、付勢部材の着力点がガイド部材の近傍となり、眼幅調節中の付勢力の影響を極力抑えることができ、付勢部材の付勢力による鏡筒の枠変形を小さくあるいは防止することが可能になり、鏡筒の変形に起因する左右の光軸の平行度の変化も抑えることができる。これは、特に、鏡筒が樹脂等の変形し易い材料で形成されている場合に効果が大きい。
　【００７２】［付記］以上詳述したような本発明の上記実施態様によれば、以下のごとき構成を得ることができる。
　【００７３】（１）それぞれレンズ光学系を内蔵し、平行に並んで配置された一対の鏡筒と、それぞれのレンズ光学系の光軸方向と実質的に直交する方向に摺動自在に上記一対の鏡筒をガイドするガイド部材と、上記一対の鏡筒を摺動方向に付勢する付勢部材と、この付勢部材からの付勢力を上記一対の鏡筒を介して受け、該付勢力の一部を同一対の鏡筒の摺動方向と交差する方向に変換して同一対の鏡筒を上記ガイド部材に押し付ける力を発生させると共に、移動させることにより同一対の鏡筒を該ガイド部材に沿って摺動させて同一対の鏡筒間の距離を調節可能な調節部材と、を具備したことを特徴とする双眼鏡の眼幅調節機構。
　【００７４】（２）上記調節部材は回動自在なカムであり、その回動中心が上記ガイド部材の近傍に設けられていることを特徴とする付記１に記載の双眼鏡の眼幅調節機構。
　【００７５】（３）上記付勢部材は、上記調節部材の近傍に配設されていることを特徴とする付記１または付記２に記載の双眼鏡の眼幅調節機構。
　【００７６】（４）それぞれレンズ光学系を内蔵し、平行に並んで配置された第１および第２の鏡筒と、それぞれのレンズ光学系の光軸方向と実質的に直交する方向に摺動自在に上記第１の鏡筒をガイドするガイド部材と、上記第１の鏡筒を上記摺動方向に付勢する付勢部材と、この付勢部材からの付勢力を上記第１の鏡筒を介して受け、該付勢力の一部を同第１の鏡筒の摺動方向と交差する方向に変換して同第１の鏡筒を上記ガイド部材に押し付ける力を発生させると共に、移動させることにより同第１の鏡筒をガイド部材に沿って摺動させて上記第２の鏡筒との間の距離を調節可能な調節部材と、を具備したことを特徴とする双眼鏡の眼幅調節機構。
　【００７７】（５）上記付勢部材は、弾性体からなることを特徴とする付記１または付記２または付記３または付記４に記載の双眼鏡の眼幅調節機構。
　【００７８】（６）上記弾性体は、コイルばねからなることを特徴とする付記５に記載の双眼鏡の眼幅調節機構。
　【００７９】（７）上記弾性体は、板ばねからなることを特徴とする付記５に記載の双眼鏡の眼幅調節機構。
　【００８０】（８）上記板ばねは、金属により形成されていることを特徴とする付記７に記載の双眼鏡の眼幅調節機構。
　【００８１】（９）上記板ばねは、樹脂により形成されていることを特徴とする付記７に記載の双眼鏡の眼幅調節機構。
　【００８２】（１０）上記鏡筒は、金属により形成されていることを特徴とする付記１または付記２または付記３または付記４に記載の双眼鏡の眼幅調節機構。
　【００８３】（１１）上記鏡筒は、樹脂により形成されていることを特徴とする付記１または付記２または付記３または付記４に記載の双眼鏡の眼幅調節機構。
　【００８４】付記１に記載の双眼鏡の眼幅調節機構によれば、鏡筒をレンズ光学系の光軸方向と実質的に直交する方向にガイドする際に、該レンズ光学系の光軸がずれることのない小型な双眼鏡の眼幅調節機構となる。
　【００８５】付記２に記載の双眼鏡の眼幅調節機構によれば、付記１と同様の効果を有するとともに、カムにより付勢部材の付勢力を受ける際のバランスが良くなる。
　【００８６】付記３に記載の双眼鏡の眼幅調節機構によれば、付記１または付記２と同様の効果を有するとともに、機構のより一層の小型化を図ることができ、さらに、鏡筒に加えられるモーメントが小さくなり、鏡筒の変形によって生じるレンズ光学系の一対の光軸の平行度のずれを極力小さく抑制することができる。
　【００８７】付記４に記載の双眼鏡の眼幅調節機構によれば、鏡筒をレンズ光学系の光軸方向と実質的に直交する方向にガイドする際に、該レンズ光学系の光軸がずれることのない小型な双眼鏡の眼幅調節機構となる。
　【００８８】付記５に記載の双眼鏡の眼幅調節機構によれば、付記１または付記２または付記３または付記４と同様の効果を有するとともに、弾性体の特性を利用することにより、複雑な機構を用いることなく付勢を行うことができる。
　【００８９】付記６に記載の双眼鏡の眼幅調節機構によれば、付記５と同様の効果を有するとともに、ガイド部材と同軸に配置することが可能になる。
　【００９０】付記７に記載の双眼鏡の眼幅調節機構によれば、付記５と同様の効果を有するとともに、他の部材を回避して配置することが可能になる。
　【００９１】付記８に記載の双眼鏡の眼幅調節機構によれば、付記７と同様の効果を有するとともに、耐久性を確保することができる。
　【００９２】付記９に記載の双眼鏡の眼幅調節機構によれば、付記７と同様の効果を有するとともに、軽量化を図ることができる。
　【００９３】付記１０に記載の双眼鏡の眼幅調節機構によれば、付記１または付記２または付記３または付記４と同様の効果を有するとともに、耐久性を確保することができる。
　【００９４】付記１１に記載の双眼鏡の眼幅調節機構によれば、付記１または付記２または付記３または付記４と同様の効果を有するとともに、軽量化を図ることができる。
　【００９５】
　【発明の効果】以上説明したように、請求項１に記載の本発明の双眼鏡の眼幅調節機構によれば、鏡筒をレンズ光学系の光軸方向と実質的に直交する方向にガイドする際に、該レンズ光学系の光軸がずれることのない小型な双眼鏡の眼幅調節機構となる。
　【００９６】また、請求項２に記載の本発明の双眼鏡の眼幅調節機構によれば、カムにより付勢部材の付勢力を受ける際のバランスが良くなる。
　【００９７】さらに、請求項３に記載の本発明の双眼鏡の眼幅調節機構によれば、機構のより一層の小型化を図ることができるとともに、鏡筒に加えられるモーメントが小さくなり、鏡筒の変形によって生じるレンズ光学系の一対の光軸の平行度のずれを極力小さく抑制することができる。
【図面の簡単な説明】
　【図１】本発明の一実施例の双眼鏡の平面図。
　【図２】上記実施例の双眼鏡の正面図。
　【図３】上記実施例の双眼鏡の背面図。
　【図４】上記実施例の双眼鏡の底面図。
　【図５】上記実施例の双眼鏡の側面図。
　【図６】上記実施例の双眼鏡の光学系の概要を示す平断面図。
　【図７】上記図１のＡ−Ａ’断面図。
　【図８】上記図１のＢ−Ｂ’断面図。
　【図９】上記実施例の外装部材である上カバーを取り外して双眼鏡の内部構造を示す平面図。
　【図１０】上記実施例の外装部材である下カバーを取り外して双眼鏡の内部構造を示す底面図。
　【図１１】上記図１０において、ばね掛けを取り付けた状態を示す底面図。
　【図１２】上記実施例の双眼鏡のばね掛けを組み込む方法を示す分解斜視図。
　【図１３】上記実施例の双眼鏡の付勢部材をコイルばねから板ばねに変更したときの分解斜視図。
　【図１４】上記実施例の双眼鏡において、ばね掛けを下カバーから一体成型した例を示す分解斜視図。
　【符号の説明】
　１７…第１ガイド軸（ガイド部材）
　１８…第２ガイド軸（ガイド部材）
　２０…眼幅カム（調節部材）
　３０…眼幅ばね（付勢部材）
　３０ａ…板ばね（付勢部材）
　３１…ばね掛け
　３２ａ，３２ｂ…カムフォロワーピン
　３５ａ，３５ｂ……鏡筒